【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
データ放送を受信してコンテンツを表示する表示手段と、
コンテンツの項目をリスト表示するリスト表示手段と、
コンテンツが表示される画面にプレビューコンテンツを表示するプレビュー表示手段と、
コンテンツの項目に対するポインタの移動に連動して、プレビューコンテンツの内容を、ポインタで選択されている項目に応じた遷移先のコンテンツに切り替える切替手段と、
前記ポインタで選択されている項目の周辺の項目に応じた遷移先のプレビューコンテンツを表示する表示制御手段とを具備することを特徴とする受信装置。
【請求項２】
前記プレビュー表示手段は、コンテンツとプレビューコンテンツを同時に表示することを特徴とする請求項１に記載の受信装置。
【請求項３】
前記表示制御手段は、前記ポインタで選択されている項目に隣接した項目に応じた遷移先のプレビューコンテンツを表示することを特徴とする請求項２に記載の受信装置。
【請求項４】
前記切替手段は、ポインタの移動が検出されてから一定の時間が経過した後に、プレビューコンテンツの内容を切り替えることを特徴とする請求項１に記載の受信装置。
【請求項５】
プレビューコンテンツのＵＲＩを記憶する手段と、
記憶されたＵＲＩを読み出す手段と、
コンテンツの内容を、読み出されたＵＲＩに該当するコンテンツに遷移させる手段と、
を具備することを特徴とする請求項１に記載の受信装置。
【請求項６】
前記切替手段は、ポインタの移動が可能な全範囲において自動的にポインタを移動させるとともに、該自動的なポインタの移動に連動してプレビューコンテンツの内容を切り替える自動プレビュー制御を実行することを特徴とする請求項１に記載の受信装置。
【請求項７】
前記切替手段は、ポインタの移動を伴うことなくコンテンツの内容を遷移させるための釦が設けられている場合に、該自動プレビュー制御において、該釦操作による遷移先のコンテンツも含めてプレビューコンテンツの内容を切り替えることを特徴とする請求項６に記載の受信装置。
【請求項８】
プレビューコンテンツの内容が切り替えられている際に、コンテンツの内容を現在のプレビューコンテンツに遷移させる手段を更に具備することを特徴とする請求項６に記載の受信装置。
【請求項９】
表示手段が、データ放送を受信してコンテンツを表示するステップと、
リスト表示手段が、コンテンツの項目をリスト表示するステップと、
プレビュー表示手段が、コンテンツが表示される画面にプレビューコンテンツを表示するステップと、
切替手段が、コンテンツの項目に対するポインタの移動に連動して、プレビューコンテンツの内容を、ポインタで選択されている項目に応じた遷移先のコンテンツに切り替えるステップと、
表示制御手段が、前記ポインタで選択されている項目の周辺の項目に応じた遷移先のプレビューコンテンツを表示するステップと、
を具備することを特徴とする受信方法。
【手続補正２】
【補正対象書類名】明細書
【補正対象項目名】発明の名称
【補正方法】変更
【補正の内容】
【発明の名称】受信装置及び受信方法
【手続補正３】
【補正対象書類名】明細書
【補正対象項目名】０００１
【補正方法】変更
【補正の内容】
【０００１】
本発明は、データ放送を受信してコンテンツを提示する受信装置及び受信方法に関する。
【手続補正４】
【補正対象書類名】明細書
【補正対象項目名】０００８
【補正方法】変更
【補正の内容】
【０００８】
本発明は、上述した問題点に鑑みてなされたものであり、その目的は、ユーザがコンテンツの切り替え（決定）操作をする前にコンテンツ内容を予め提示することで、ユーザが事前の確認により所望のコンテンツの視聴を早期に開始することができるようにした受信装置及び受信方法を提供することにある。
【手続補正５】
【補正対象書類名】明細書
【補正対象項目名】０００９
【補正方法】変更
【補正の内容】
【０００９】
上記目的を達成するために、本発明によれば、データ放送を受信してコンテンツを表示する表示手段と、コンテンツの項目をリスト表示するリスト表示手段と、コンテンツが表示される画面にプレビューコンテンツを表示するプレビュー表示手段と、コンテンツの項目に対するポインタの移動に連動して、プレビューコンテンツの内容を、ポインタで選択されている項目に応じた遷移先のコンテンツに切り替える切替手段と、前記ポインタで選択されている項目の周辺の項目に応じた遷移先のプレビューコンテンツを表示する表示制御手段とを具備することを特徴とする受信装置が提供される。
一つの好適な態様では、前記プレビュー表示手段は、コンテンツとプレビューコンテンツを同時に表示する。
更に好ましくは、前記表示制御手段は、前記ポインタで選択されている項目に隣接した項目に応じた遷移先のプレビューコンテンツを表示する。
【手続補正６】
【補正対象書類名】明細書
【補正対象項目名】００１０
【補正方法】変更
【補正の内容】
【００１０】
一つの好適な態様では、前記切替手段は、ポインタの移動が検出されてから一定の時間が経過した後に、プレビューコンテンツの内容を切り替える。
【手続補正７】
【補正対象書類名】明細書
【補正対象項目名】００１１
【補正方法】変更
【補正の内容】
【００１１】
一つの好適な態様では、プレビューコンテンツのＵＲＩを記憶する手段と、記憶されたＵＲＩを読み出す手段と、コンテンツの内容を、読み出されたＵＲＩに該当するコンテンツに遷移させる手段と、を具備する。
【手続補正８】
【補正対象書類名】明細書
【補正対象項目名】００１２
【補正方法】変更
【補正の内容】
【００１２】
一つの好適な態様では、前記切替手段は、ポインタの移動が可能な全範囲において自動的にポインタを移動させるとともに、該自動的なポインタの移動に連動してプレビューコンテンツの内容を切り替える自動プレビュー制御を実行する。
【手続補正９】
【補正対象書類名】明細書
【補正対象項目名】００１３
【補正方法】変更
【補正の内容】
【００１３】
更に好ましくは、前記切替手段は、ポインタの移動を伴うことなくコンテンツの内容を遷移させるための釦が設けられている場合に、該自動プレビュー制御において、該釦操作による遷移先のコンテンツも含めてプレビューコンテンツの内容を切り替える。
また好ましくは、プレビューコンテンツの内容が切り替えられている際に、コンテンツの内容を現在のプレビューコンテンツに遷移させる手段を更に具備する。
【手続補正１０】
【補正対象書類名】明細書
【補正対象項目名】００１４
【補正方法】変更
【補正の内容】
【００１４】
また、本発明によれば、表示手段が、データ放送を受信してコンテンツを表示するステップと、リスト表示手段が、コンテンツの項目をリスト表示するステップと、プレビュー表示手段が、コンテンツが表示される画面にプレビューコンテンツを表示するステップと、切替手段が、コンテンツの項目に対するポインタの移動に連動して、プレビューコンテンツの内容を、ポインタで選択されている項目に応じた遷移先のコンテンツに切り替えるステップと、表示制御手段が、前記ポインタで選択されている項目の周辺の項目に応じた遷移先のプレビューコンテンツを表示するステップと、を具備することを特徴とする受信方法が提供される。
【手続補正１１】
【補正対象書類名】明細書
【補正対象項目名】００１５
【補正方法】変更
【補正の内容】
【００１５】
本発明による受信装置及び受信方法によれば、ユーザは、コンテンツの切り替え（決定）操作をする前に、コンテンツの内容を確認することができる。
【手続補正１２】
【補正対象書類名】明細書
【補正対象項目名】００１６
【補正方法】変更
【補正の内容】
【００１６】
特に、ポインタの移動が検出されてから一定の時間が経過した時点で、プレビューコンテンツの内容を切り替えるようにすることで、ユーザの釦操作が素早い場合において、描画処理を削減することができる。